【手続補正書】
【提出日】平成19年5月23日(2007.5.23)
【手続補正１】
【補正対象書類名】明細書
【補正対象項目名】特許請求の範囲
【補正方法】変更
【補正の内容】
【特許請求の範囲】
【請求項１】  回収アセンブリを作製するための方法であって、以下の工程：
（ａ）実質的に平面なフレームを形成する工程であって、該フレームは、少なくとも３つのループ部材および少なくとも３つの連結部材を備え、該連結部材は、該ループ部材を接続し、該フレームの開口を規定する、工程；
（ｂ）該連結部材を互いの上に重ね合わせるように該フレームを折り曲げる工程であって、該ループ部材に該連結部材から外へ伸長するループを形成させる、工程；および
（ｃ）該フレームの該重ね合わされた連結部材を共に固定する工程であって、これにより該回収アセンブリを作製する工程、
を包含する、方法。
【請求項２】  前記フレームを形成する工程が、単一の構成物質から該フレームを取り出すことを含む、請求項１に記載の方法。
【請求項３】  前記フレームを取り出す工程が光エッチングを含む、請求項２に記載の方法。
【請求項４】  前記フレームを取り出す工程がスタンピングを含む、請求項２に記載の方法。
【請求項５】  前記フレームを取り出す工程が切断を含む、請求項２に記載の方法。
【請求項６】  前記フレームを形成する工程が、対称構造を形成することを含む、請求項１に記載の方法。
【請求項７】  前記フレームを折り曲げる工程が、複数のループを形成することを含む、請求項１に記載の方法。
【請求項８】  前記フレームを折り曲げる工程が、３つのループを形成することを含む、請求項７に記載の方法。
【請求項９】  前記フレームを折り曲げる工程が、４つのループを形成することを含む、請求項７に記載の方法。
【請求項１０】  前記フレームが複数のワイヤを含み、各ワイヤの端が別のワイヤの異なる端に連結されている、請求項１に記載の方法。
【請求項１１】  前記フレームの少なくとも３つの部材がワイヤを含み、該ワイヤは、円形、楕円形、四角形、長方形およびＤ型フレームからなる群より選択される断面を有する、請求項１に記載の方法。
【請求項１２】  前記フレームの少なくとも３つの部材がワイヤを含み、該ワイヤは、断面の形状が異なる少なくとも２つの部分を備える、請求項１に記載の方法。
【請求項１３】  前記フレームが内部縁をさらに備え、該内部縁が鋸歯状である、請求項１に記載の方法。
【請求項１４】  回収アセンブリを製造するための方法であって、以下の工程：
第１の構成を形成する工程であって、該第１の構成は、３つの部材を備える実質的にＴ形状を備え、各部材は、１つの自由端を備え、１つの部材は、他の２つの部材に対して垂直に位置付けされる、工程；
１つの尖部を有するループを形成するように、該第１の構成の該他の２つの部材を折り曲げる工程；
バックステーを備える第１の半バスケットを形成するように、該ループの尖部で垂直部材を折り曲げる工程；
第２の構成を形成する工程であって、該第２の構成は、３つの部材を備える実質的にＴ形状を備え、各部材は、１つの自由端を備え、１つの部材は、該他の２つの部材に対して垂直に位置付けされる、工程；
１つの尖部を有するループを形成するように、該第２の構成の他の２つの部材を折り曲げる工程；
バックステーを有する第２の半バスケットを形成するように、該ループの尖部で該垂直部材を折り曲げる工程；
該第１の半バスケットの該ループを該第２の半バスケットの該ループに対向させる工程；および
該第２の半バスケットの該３つの部材の該自由端に、該第１の半バスケットの該３つの部材の該自由端を固定して、該回収アセンブリを形成する工程、
を包含する、方法。
【請求項１５】  前記第１の構成を形成する工程および前記第２の構成を形成する工程が、単一のシートの材料から第１の構成および第２の構成の各々を取り出すことを含む、請求項１４に記載の方法。
【請求項１６】  前記第１の構成の取り出しおよび前記第２の構成の取り出しがスタンピングを包含する、請求項１５に記載の方法。
【請求項１７】  前記第１の構成および前記第２の構成を形成する工程が鋳型形成を含む、請求項１４に記載の方法。
【請求項１８】  請求項１４に記載の方法であって、前記第１の構成および前記第２の構成がワイヤを含み、該ワイヤは、円形、楕円形、四角形、長方形およびＤ字形からなる群より選択される断面を備える、方法。
【請求項１９】  請求項１４に記載の方法であって、前記第１の構成および前記第２の構成がワイヤを含み、該ワイヤは、異なる断面形状の少なくとも２つの部分を備える、方法。
【請求項２０】  前記第１の構成および前記第２の構成の取り出しが光エッチングを含む、請求項１５に記載の方法。
【請求項２１】  前記第１の構成および前記第２の構成の取り出しが切断を含む、請求項１５に記載の方法。
【請求項２２】  回収アセンブリを製造するための方法であって、該方法は、以下の工程：
第１の長さのワイヤから第１ループを形成する工程であって、該第１の長さのワイヤは、２つの端を備える、工程；
第２の長さのワイヤから少なくとも第２のループを形成する工程であって、該第２の長さのワイヤは２つの端を備える、工程；および
該第２の長さのワイヤの該端に該第１の長さのワイヤの該端を固定して、複数のループ備える回収アセンブリを形成する工程、
を包含する、方法。
【請求項２３】  前記第２の長さのワイヤの前記端に前記第１の長さのワイヤの前記端を固定する工程が、該端を一緒に捩じることを含む、請求項２２に記載の方法。
【請求項２４】  請求項２２に記載の方法であって、前記少なくとも２つのループがワイヤを含み、該ワイヤは、円形、楕円形、四角形、長方形およびＤ字形からなる群より選択される断面を備える、方法。
【請求項２５】  前記少なくとも２つのループがワイヤを含み、該ワイヤは、異なる断面形状の少なくとも２つの部分を備える、請求項２２に記載の方法。
【請求項２６】  医用回収デバイスを作製するための方法であって、該方法は、以下の工程：
少なくとも２つのループを備える１つのバスケットを形成する工程；
該少なくとも２つのループの間にワイヤを挿入する工程であって、該ワイヤは、第１端および第２端を備える、工程；
カニューレの管腔を通して該ワイヤの第１端および第２端を引く工程；および
ケーブルに該ワイヤの該第１端および第２端を固定する工程であって、該ケーブルは、ハンドルに連結され、そして該ハンドルは、該デバイスの近位端に位置付けされる、工程
を包含する、方法。
【請求項２７】  医用回収デバイスであって、以下：
近位ハンドル；
該ハンドルから遠位に伸長する外側シースであって、該外側シースの遠位端から該外側シースの近位端へ該外側シースを通って伸長している管腔を備える外側シース；
内側シースであって、該内側シースの遠位端から該内側シースの近位端へ該内側シースを通って伸長している管腔を備える内側シースであって、該内側シースは、該外側シースに対して該外側シースの管腔中を軸方向に移動可能である、内側シース；ならびに
少なくとも２つの対向するループであって、ここで該ループは、折り畳み位置および別の位置を有し、該折り畳み位置において、該ループは該内側シースの管腔内で折り畳まれ、そして該別の位置において、該ループは該内側シースの遠位端から該管腔の外側に伸長し、該ループは、基部において連結されかつそれらの遠位端で互いに接続されず、該ループは、物質の捕獲および放出を可能にするために開位置と閉位置との間で移動可能であり、該開位置にあるときよりも該閉位置にあるときにその遠位端で一緒により接近する、ループ、を備える、デバイス。
【請求項２８】  医用回収デバイスであって、以下：
近位ハンドル；
該ハンドルから遠位に伸長するシースであって、該シースの遠位端から該シースの近位端へ該シースを通って伸長する管腔を備えるシース；
少なくとも２つの対向するループであって、ここで該ループは、折り畳み位置および別の位置を含み、該折り畳み位置において、該ループは、該内側シースの該管腔内で折り畳まれ、そして該別の位置において、該ループは、該内側シースの遠位端から該管腔の外に伸長し、該ループは、基部で連結され、かつそれらの遠位端において互いに接続されておらず、該ループは、物質の捕獲および放出を可能にするために開位置と閉位置との間で移動可能であり、該ループは、該開位置にあるときよりも該閉位置にあるときにその遠位端で一緒に接近する、ループ、
ベースカニューレ；ならびに
第１部分、第２部分および中間部分を備える伸長部材であって、該伸長部材の該中間部分は、該少なくとも２つのループの間に挿入され、かつ該伸長部材の該第１部分および第２部分は、該伸長部材を該少なくとも２つのループに固定するために、該ベースカニューレを通して挿入される、伸長部材、
を備える、デバイス。
【請求項２９】  医用回収デバイスであって、
近位ハンドル；
該ハンドルから遠位に延びるシースであって、該シースは、該シースの遠位端から該シースの近位端へ該シースを通って延びる管腔を備える、シース；
対向する第１の半バスケットおよび第２の半バスケットであって、各半バスケットは、ループおよびバックステーを備え、該対向する第１の半バスケットおよび第２の半バスケットは、折り畳み位置および別の位置を有し、該折り畳み位置において、該第１の半バスケットおよび第２の半バスケットは、該シースの管腔内で折り畳まれており、該別の位置において、該第１の半バスケットおよび第２の半バスケットは、内側シースの遠位端から該管腔の外側に延び、該第１の半バスケットおよび第２の半バスケットは、基部において連結されており、かつそれらの遠位端においては互いに接続されず、該第１の半バスケットおよび第２の半バスケットは、物質の捕捉および解放を可能にするために、開位置と閉位置との間で移動可能であり、該第１の半バスケットおよび第２の半バスケットは、該開位置においてよりも、該閉位置において、それらの遠位端で一緒により接近し、対向する第１の半バスケットおよび第２の半バスケット、
を備える、医用回収デバイス。
【請求項３０】
少なくとも１つの半バスケットの前記バックステーが、第１の面内で延び、そして該少なくとも１つの半バスケットの前記ループが、第２の面内で延び、該第１の面と該第２の面とは、互いに対して実質的に垂直である、請求項２９に記載の医用回収デバイス。
【請求項３１】
前記基部に連結された伸長部材をさらに備える、請求項２９に記載の医用回収デバイス。
【請求項３２】
前記伸長部材が、前記シースの管腔内に位置する、請求項３１に記載の医用回収デバイス。
【請求項３３】
前記伸長部材が、前記シースに対する該伸長部材の軸方向の移動を介して、前記第１の半バスケットおよび第２の半バスケットを、前記開位置と前記閉位置との間で移行させることを補助するように構成されている、請求項３１に記載の医用回収デバイス。
【請求項３４】
前記シースが、前記第１の半バスケットと第２の半バスケットとに対する該シースの軸方向の移動を介して、該第１の半バスケットおよび第２の半バスケットを前記開位置と前記閉位置との間で移行させることを補助するように構成されている、請求項２９に記載の医用回収デバイス。
【請求項３５】
前記半バスケットのうちの少なくとも一方の前記ループおよび前記バックステーが、単一の物質から形成されている、請求項２９に記載の医用回収デバイス。
【請求項３６】
前記少なくとも一方の半バスケットの前記ループおよび前記バックステーが、スタンピング、エッチング、および切断のうちの１つにより形成される、請求項３５に記載の医用回収デバイス。
【請求項３７】
前記少なくとも一方の半バスケットの前記ループおよび前記バックステーが、実質的にＴ形状の構成から形成されている、請求項２９に記載の医用回収デバイス。
【請求項３８】
前記第１の半バスケットおよび第２の半バスケットのうちの少なくとも一方が、少なくとも２つのワイヤを備える、請求項２９に記載の医用回収デバイス。
【請求項３９】
前記半バスケットのうちの少なくとも一方の前記ループおよび前記バックステーのうちの少なくとも１つが、少なくとも２つのワイヤを備える、請求項３８に記載の医用回収デバイス。
【請求項４０】
前記少なくとも一方の半バスケットの前記バックステーが、一緒に捩じられた２つのワイヤを備える、請求項３９に記載の医用回収デバイス。
【請求項４１】
前記少なくとも一方の半バスケットの前記ループが、捩じられていない２つのワイヤを備える、請求項４０に記載の医用回収デバイス。
【請求項４２】
前記少なくとも一方の半バスケットの前記ループが、前記捩じられていない２つのワイヤと捩じられている第３のワイヤを備える、請求項４１に記載の医用回収デバイス。
【請求項４３】
前記半バスケットのうちの少なくとも一方の前記バックステーが、それ自体が捩じれている第１のワイヤを備え、そして該少なくとも一方の半バスケットの前記ループが、該第１のワイヤの一端を通過している、請求項３８に記載の医用回収デバイス。
【請求項４４】
前記第１の半バスケットおよび第２の半バスケットのうちの少なくとも一方の前記ループおよび前記バックステーの自由端が、一緒に捩じられて、伸長部材を形成している、請求項２９に記載の医用回収デバイス。
【請求項４５】
前記第１の半バスケットおよび第２の半バスケットのうちの少なくとも一方のループおよびバックステーの自由端が、該少なくとも一方の半バスケットの基部の近位で、互いに実質的に近接して延びている、請求項２９に記載の医用回収デバイス。
【請求項４６】
医用回収デバイスであって：
近位ハンドル；
該ハンドルから遠位に延びるシースであって、該シースは、該シースの遠位端から該シースの近位端へ該シースを通って延びる管腔を備える、シース；ならびに
対向する第１の半バスケットおよび第２の半バスケットであって、各半バスケットは、ループおよびバックステーを備え、該第１の半バスケットおよび第２の半バスケットは、基部において連結されており、そしてクラムシェルの様式で、開位置と閉位置との間で移動可能であり、該第１の半バスケットおよび第２の半バスケットは、該閉位置において、それらの遠位端で一緒により接近し、少なくとも一方の半バスケットの該バックステーは、第１の面内に延び、そして該少なくとも一方の半バスケットの該ループは、第２の面内に延び、該第１の面と第２の面とは、互いに対して実質的に垂直である、対向する第１の半バスケットおよび第２の半バスケット、
を備える、医用回収デバイス。
【請求項４７】
前記少なくとも一方の半バスケットの前記ループおよび前記バックステーは、実質的にＴ形状の構成から形成されている、請求項４６に記載の医用回収デバイス。
【請求項４８】
前記第１の半バスケットおよび第２の半バスケットのうちの少なくとも一方は、少なくとも２つのワイヤを備える、請求項４６に記載の医用回収デバイス。
【請求項４９】
前記半バスケットのうちの少なくとも一方の、前記ループおよび前記バックステーのうちの少なくとも１つは、少なくとも２つのワイヤを備える、請求項４６に記載の医用回収デバイス。
【請求項５０】
前記少なくとも一方の半バスケットの前記バックステーが、一緒に捩じられた２つのワイヤを備える、請求項４９に記載の医用回収デバイス。
【請求項５１】
前記少なくとも一方の半バスケットの前記ループが、捩じられていない２つのワイヤを備える、請求項５０に記載の医用回収デバイス。
【請求項５２】
医用回収デバイスであって、
近位ハンドル；
該ハンドルから遠位に延びるシースであって、該シースは、該シースの遠位端から該シースの近位端へ該シースを通って延びる管腔を備える、シース；ならびに
対向する第１の半バスケットおよび第２の半バスケットであって、各半バスケットは、ループおよびバックステーを備え、該第１の半バスケットおよび第２の半バスケットは、基部において連結されており、そしてクラムシェルの様式で、開位置と閉位置との間で移動可能であり、該第１の半バスケットおよび第２の半バスケットは、該閉位置にある場合に、それらの遠位端で一緒により接近し、少なくとも一方の半バスケットの該バックステーは、一緒に捩じられた２つのワイヤを備え、そして該少なくとも一方の半バスケットの該ループは、捩じられていない２つのワイヤを備える、対向する第１の半バスケットおよび第２の半バスケット、
を備える、医用回収デバイス。
【請求項５３】
前記少なくとも一方の半バスケットの前記ループおよび前記バックステーは、実質的にＴ形状の構成から形成されている、請求項５２に記載の医用回収デバイス。
【請求項５４】
前記第１の半バスケットおよび第２の半バスケットのうちの少なくとも一方の、前記ループおよび前記バックステーの自由端が、一緒に捩じられて、伸長部材を形成している、請求項５２に記載の医用回収デバイス。
【請求項５５】
前記第１の半バスケットおよび第２の半バスケットのうちの少なくとも一方の、前記ループおよび前記バックステーの自由端が、該少なくとも一方の半バスケットの前記基部の近位にて、互いに対して実質的に近接して延びている、請求項５２に記載の医用回収デバイス。
【請求項５６】
医用回収デバイスであって、
近位ハンドル；
該ハンドルから遠位に延びるシースであって、該シースは、該シースの遠位端から該シースの近位端へ該シースを通って延びる管腔を備える、シース；ならびに
対向する第１の半バスケットおよび第２の半バスケットであって、各半バスケットは、ループおよびバックステーを備え、該第１の半バスケットおよび第２の半バスケットは、基部において連結しており、そしてクラムシェルの様式で、開位置と閉位置との間で移動可能であり、該第１の半バスケットおよび第２の半バスケットは、該閉位置において、それらの遠位端で一緒により接近して、該半バスケットのうちの少なくとも一方の該バックステーは、それ自体が捩じれた第１のワイヤを備え、そして該少なくとも一方の半バスケットの該ループは、該第１のワイヤの一端を通過している、対向する第１の半バスケットおよび第２の半バスケット、
を備える、医用回収デバイス。
【請求項５７】
前記少なくとも一方の半バスケットの前記ループおよび前記バックステーが、実質的にＴ形状の構成から形成されている、請求項５６に記載の医用回収デバイス。
【請求項５８】
少なくとも一方の半バスケットの前記バックステーが、第１の面内に延び、そして該少なくとも一方の半バスケットの前記ループが、第２の面内に延び、該第１の面と該第２の面とは、互いに対して実質的に垂直である、請求項５６に記載の医用回収デバイス。
【請求項５９】
前記第１の半バスケットおよび第２の半バスケットのうちの少なくとも一方の前記ループおよび前記バックステーの自由端が、一緒に捩じられて、伸長部材を形成している、請求項５６に記載の医用回収デバイス。
【請求項６０】
前記第１の半バスケットおよび第２の半バスケットのうちの少なくとも一方の、前記ループおよび前記バックステーの自由端が、該少なくとも一方の半バスケットの前記基部の近位にて、互いに対して実質的に近接して延びている、請求項５６に記載の医用回収デバイス。